(57)【特許請求の範囲】
【請求項１】
給水を加熱して給湯を行う給湯回路と、浴槽内の水を循環して加熱する循環回路と、該給湯回路と該循環回路とを接続する注湯回路とを有し、該給湯回路は給水を熱交換器から迂回させるバイパス管と、該バイパス管を開閉するバイパス弁とを備えている燃焼装置において、
前記浴槽の水量を検出する水量センサと、該水量センサからの出力に基づいて注湯を制御する注湯制御部とを有し、
該注湯制御部は、前記バイパス弁の洩れが検出されたとき、あらかじめ記憶されている前記浴槽の基準水位までの水量に基づいて注湯量を制御する第一のモードに代わって、前記水量センサの検出値に基づいて前記基準水位までの水量を求め、該求められた水量に基づいて注湯量を制御する第二のモードによる注湯制御を行うことを特徴とする燃焼装置。
【請求項２】
給水を加熱して給湯を行う給湯回路と、浴槽内の水を循環して加熱する循環回路と、該給湯回路と該循環回路とを接続する注湯回路とを有し、該給湯回路は給水を熱交換器から迂回させるバイパス管と、該バイパス管を開閉するバイパス弁とを備えている燃焼装置において、
前記浴槽の水位を検出する圧力センサと、該圧力センサからの出力に基づいて注湯を制御する注湯制御部とを有し、
該注湯制御部は、前記バイパス弁の洩れが検出されたとき、あらかじめ記憶されている前記浴槽の開口面積に基づいて注湯量を制御する第一のモードに代わって、前記圧力センサの検出値に基づいて前記浴槽の換算開口面積を求め、該求められた換算開口面積に基づいて注湯量を制御する第二のモードによる注湯制御を行うことを特徴とする燃焼装置。
【請求項３】
給水を加熱して給湯を行う給湯回路と、浴槽内の水を循環して加熱する循環回路と、該給湯回路と該循環回路とを接続する注湯回路とを有し、該給湯回路は給水を熱交換器から迂回させるバイパス管と、該バイパス管を開閉するバイパス弁とを備えている燃焼装置において、
前記浴槽の水量を検出する水量センサと、前記浴槽の水位を検出する圧力センサと、該水量センサ及び該圧力センサからの出力に基づいて注湯を制御する注湯制御部とを有し、
該注湯制御部は、前記バイパス弁の洩れが検出されたとき、あらかじめ記憶されている前記浴槽の基準水位までの水量及び前記浴槽の開口面積に基づいて注湯量を制御する第一のモードに代わって、前記水量センサの検出値に基づいて前記基準水位までの水量及び前記圧力センサの検出値に基づいて前記浴槽の換算開口面積を求め、該求められた水量及び換算開口面積に基づいて注湯量を制御する第二のモードによる注湯制御を行うことを特徴とする燃焼装置。
【請求項４】
給水を加熱して給湯を行う給湯回路と、浴槽内の水を循環して加熱する循環回路と、該給湯回路と該循環回路とを接続する注湯回路とを有し、該給湯回路は給水を熱交換器から迂回させるバイパス管と、該バイパス管を開閉するバイパス弁とを備えている燃焼装置において、
前記浴槽の水量を検出する水量センサと、該水量センサからの出力に基づいて注湯を制御する注湯制御部とを有し、
該注湯制御部は、前記バイパス弁の洩れが検出されたとき、且つその洩れ量の変化が所定量以上であるとき、あらかじめ記憶されている前記浴槽の基準水位までの水量に基づいて注湯量を制御する第一のモードに代わって、前記水量センサの検出値に基づいて前記基準水位までの水量を求め、該求められた水量に基づいて注湯量を制御する第二のモードによる注湯制御を行うことを特徴とする燃焼装置。
【請求項５】
給水を加熱して給湯を行う給湯回路と、浴槽内の水を循環して加熱する循環回路と、該給湯回路と該循環回路とを接続する注湯回路とを有し、該給湯回路は給水を熱交換器から迂回させるバイパス管と、該バイパス管を開閉するバイパス弁とを備えている燃焼装置において、
前記浴槽の水位を検出する圧力水量センサと、該圧力センサからの出力に基づいて注湯を制御する注湯制御部とを有し、
該注湯制御部は、前記バイパス弁の洩れが検出されたとき、且つその洩れ量の変化が所定量以上であるとき、あらかじめ記憶されている前記浴槽の開口面積に基づいて注湯量を制御する第一のモードに代わって、前記圧力センサの検出値に基づいて前記浴槽の換算開口面積を求め、該求められた換算開口面積に基づいて注湯量を制御する第二のモードによる注湯制御を行うことを特徴とする燃焼装置。
【請求項６】
給水を加熱して給湯を行う給湯回路と、浴槽内の水を循環して加熱する循環回路と、該給湯回路と該循環回路とを接続する注湯回路とを有し、該給湯回路は給水を熱交換器から迂回させるバイパス管と、該バイパス管を開閉するバイパス弁とを備えている燃焼装置において、
前記浴槽の水量を検出する水量センサと、前記浴槽の水位を検出する圧力センサと、該水量センサ及び該圧力センサからの出力に基づいて注湯を制御する注湯制御部とを有し、
該注湯制御部は、前記バイパス弁の洩れが検出されたとき、且つその洩れ量の変化が所定量以上であるとき、あらかじめ記憶されている前記浴槽の基準水位までの水量及び前記浴槽の開口面積に基づいて注湯量を制御する第一のモードに代わって、前記水量センサの検出値に基づいて前記基準水位までの水量及び前記圧力センサの検出値に基づいて前記浴槽の換算開口面積を求め、該求められた水量及び換算開口面積に基づいて注湯量を制御する第二のモードによる注湯制御を行うことを特徴とする燃焼装置。
【請求項７】
請求項４乃至６において、
前記洩れ量の変化量は、前記バイパス弁から洩れた水が前記熱交換器から出湯される湯に合流する前後の湯の温度差に基づいて求められることを特徴とする燃焼装置。
【発明の詳細な説明】
【０００１】
【発明の属する技術分野】
本発明は、給水を加熱して給湯を行う給湯回路と、浴槽内の水を循環させて加熱する循環回路と、これらを接続する注湯回路とを有する複合式燃焼装置に関し、特に、給湯回路にバイパス通路及びそれを開閉するバイパス弁を備えた燃焼装置における注湯制御に関する。
【０００２】
【従来の技術】
複合式燃焼装置は、給湯栓から湯を給湯する給湯回路と、浴槽内の水を循環させて加熱する追い焚き循環回路と、給湯回路と追い焚き循環回路とを接続し、給湯回路から出湯する湯を追い焚き循環回路内を経由させて浴槽へ落とし込む注湯回路とを備えている。
【０００３】
給湯回路から出湯される湯を浴槽へ注湯するときに、浴槽の水位を測定する圧力センサが、浴槽に接続されている回路（例えば注湯回路）に設けられている。
【０００４】
現在広く使用されている圧力センサを備えた燃焼装置では、施工時に行われる記憶モードのときに浴槽の循環金具の上の基準水位に対する配管内の圧力値を基準水位の圧力値として記憶し、その後の注湯運転時においては、その基準水位の圧力値との比較から、浴槽内の水位を求めている。
【０００５】
この圧力センサは、その検出値にばらつきがあるとともに経年変化による検出値の変動が大きく、その検出値の補正を頻繁に行う必要がある。一般的な圧力センサは、内部にダイヤフラムなどを有してそのダイヤフラムに加えられる圧力によりダイヤフラムが変形し、その変形の程度を検出値として出力する。そのため、燃焼装置は、自動湯張り運転のとき複雑な注湯工程により、一旦基準水位を再現し、その時の圧力センサの検出値を記憶済みの基準水位の圧力値と比較して補正している。
【０００６】
図５は、実行モードによる自動湯張り運転のフローチャートであり、図６は、それに対応した浴槽の水位を示す図である。
【０００７】
図６を参照しながら図５を説明すると、自動湯張り運転は、リモコンから水位と温度を設定して自動スイッチをＯＮすることで始まる（Ｓ１１）。まず、追い焚き循環回路内の循環ポンプを運転して（Ｓ１２）、風呂流水スイッチがＯＦＦであるかどうかをチェックし（Ｓ１３）、ＯＮの場合は、循環金具以上の残水が浴槽にあると判断して、追い焚き運転（Ｓ２５）に移行し、ＯＦＦの場合は、まず循環ポンプの呼び水程度の少量（例えば１０リットル）を注湯電磁弁を開くことで浴槽に注湯する（Ｓ１４）。そして、循環ポンプをＯＮさせて、流水スイッチがＯＦＦかどうかのチェックを行う（Ｓ１５，Ｓ１６）。ＯＮの場合は、追い焚き運転（Ｓ２５）に移行し、ＯＦＦの場合は、循環金具の下に達する水量を注湯する（Ｓ１７）。記憶モード時に浴槽の循環金具のしたまでの水量（１０＋Ｘリットル）が記憶されているので、それらの記憶値を利用すれば、浴槽が空だった場合に必要な水量を知ることができるので、その量だけの注湯が行われる。
【０００８】
そして、注湯電磁弁を閉じて、循環ポンプをＯＮにして風呂流水スイッチがＯＦＦかどうかのチェックを行う（Ｓ１９）。循環金具よりも上に水位が来ている場合は、流水スイッチがＯＮするので、追い焚き運転（Ｓ２５）に移行し、ＯＦＦの場合は浴槽は最初は空であったと判断して、注湯電磁弁を開いて循環金具の上の基準水位Ｐａまで注湯する（Ｓ２０）。この場合も、記憶モード時に記憶した値Ｙリットルが利用される。
【０００９】
次に、圧力センサの出力が取り込まれる（Ｓ２１）。このときに検出される圧力センサの値が基準水位Ｐａに対応する値である。圧力センサの出力値が得られると、もう一度循環ポンプを回し（Ｓ２２）、風呂流水スイッチがＯＮしていることを確認した後（Ｓ２３）、循環ポンプを停止する。そして、上記圧力センサの検出値が、記憶モード時に記憶した循環金具の上の基準水位まで注湯したときの圧力センサ検出値と比較され、異なる場合は、圧力センサに経年変化が生じたことを意味し、基準水位の圧力値が新しい検出値に補正される（Ｓ２４）。具体的には、制御部のマイクロコンピュータに接続される不揮発性メモリに書き換えされる。
【００１０】
ステップＳ１３、１６、１９にて、循環金具よりも上に水位があると判断された場合は、設定温度近辺まで追い焚きされる（Ｓ２５）。その後、設定温度近傍まで温度が上昇すると、圧力センサの圧力値が検出される（Ｓ２６）。
【００１１】
その後、設定水位まで注湯する工程がステップＳ２７、２８、２９に従って、行われる。この注湯工程では、注湯電磁弁を開いて注湯を行い、注湯電磁弁を閉じて循環ポンプを停止した後、浴槽の水位を圧力センサから検出する。そして、Ｚリットル注湯され、設定水位に達したと判断されると（Ｓ２７）、設定温度まで追い焚きが行われ（Ｓ３０）、最後に沸き上げブザーが出力される（Ｓ３１）。
【００１２】
以上のように、使用者から湯張りの指令を受けたときに行われる自動湯張り運転のとき、圧力センサに経年変化が生じているときは、その検出値の補正が行われていた。
【００１３】
【発明が解決しようとする課題】
ところで、給湯回路において、給水管を流れる水の一部を熱交換器を通過させずに出湯管へ導くバイパス通路が設けられているものがあり、そのバイパス通路には、その通路を開閉するバイパス弁が取り付けられている。そして、通常、上述の自動湯張り運転を行っているとき、その注湯量を把握するために、バイパス弁を閉じた状態で注湯が行われる。なぜならば、注湯量は、熱交換器へ送り込まれる水量を検出する流量センサの検出値に基づいており、この流量センサはバイパス通路に流れる流量を検出しないからである。
【００１４】
一般的に、バイパス弁は、ギアモータで動かされ、そのギアモータの軸の回転をホールＩＣで検出することによって、バイパス弁の開閉が検出される。このとき、例えばＯリングの損傷又は経年変化などにより、バイパス弁が閉じられているにもかかわらず、バイパス弁に洩れが発生する場合がある。この洩れが発生すると、バイパス管からの水が注湯管を流れて注湯されるため、流量センサにより検出する注湯量と実際の注湯量が相違する。そのため、例えば、上記基準水位Ｐａにおける圧力センサの検出する圧力値が変化する。
【００１５】
そうすると、圧力センサ自体の変化でないにもかかわらず、基準水位Ｐａにおける圧力値が異なるため、上述のフローチャートに示したように、圧力センサの補正（Ｓ２４）が行われてしまう。
【００１６】
このように、バイパス弁に漏れがあると、圧力センサの補正が不正確になり、設定された水位まで正確に注湯を行うことができない。
【００１７】
そこで、本発明の目的は、バイパス弁に漏れがある場合においても、設定水位までの注湯を正確に行うことができる燃焼装置を提供することである。
【００１８】
【課題を解決するための手段】
上記目的は、本発明の第一の構成によれば、給水を加熱して給湯を行う給湯回路と、浴槽内の水を循環して加熱する循環回路と、該給湯回路と該循環回路とを接続する注湯回路とを有し、該給湯回路は給水を熱交換器から迂回させるバイパス管と、該バイパス管を開閉するバイパス弁とを備えている燃焼装置において、前記浴槽の水量を検出する水量センサと、該水量センサからの出力に基づいて注湯を制御する注湯制御部とを有し、
該注湯制御部は、前記バイパス弁の洩れが検出されたとき、あらかじめ記憶されている前記浴槽の基準水位までの水量に基づいて注湯量を制御する第一のモードに代わって、前記水量センサの検出値に基づいて前記基準水位までの水量を求め、該求められた水量に基づいて注湯量を制御する第二のモードによる注湯制御を行うことを特徴とする燃焼装置を提供することにより達成される。
【００１９】
又、上記目的は、本発明の第二の構成によれば、給水を加熱して給湯を行う給湯回路と、浴槽内の水を循環して加熱する循環回路と、該給湯回路と該循環回路とを接続する注湯回路とを有し、該給湯回路は給水を熱交換器から迂回させるバイパス管と、該バイパス管を開閉するバイパス弁とを備えている燃焼装置において、
前記浴槽の水位を検出する圧力センサと、該圧力センサからの出力に基づいて注湯を制御する注湯制御部とを有し、
該注湯制御部は、前記バイパス弁の洩れが検出されたとき、あらかじめ記憶されている前記浴槽の開口面積に基づいて注湯量を制御する第一のモードに代わって、前記圧力センサの検出値に基づいて前記浴槽の換算開口面積を求め、該求められた換算開口面積に基づいて注湯量を制御する第二のモードによる注湯制御を行うことを特徴とする燃焼装置を提供することにより達成される。
【００２０】
又、上記目的は、本発明の第三の構成によれば、給水を加熱して給湯を行う給湯回路と、浴槽内の水を循環して加熱する循環回路と、該給湯回路と該循環回路とを接続する注湯回路とを有し、該給湯回路は給水を熱交換器から迂回させるバイパス管と、該バイパス管を開閉するバイパス弁とを備えている燃焼装置において、
前記浴槽の水量を検出する水量センサと、前記浴槽の水位を検出する圧力センサと、該水量センサ及び該圧力センサからの出力に基づいて注湯を制御する注湯制御部とを有し、
該注湯制御部は、前記バイパス弁の洩れが検出されたとき、あらかじめ記憶されている前記浴槽の基準水位までの水量及び前記浴槽の開口面積に基づいて注湯量を制御する第一のモードに代わって、前記水量センサの検出値に基づいて前記基準水位までの水量及び前記圧力センサの検出値に基づいて前記浴槽の換算開口面積を求め、該求められた水量及び換算開口面積に基づいて注湯量を制御する第二のモードによる注湯制御を行うことを特徴とする燃焼装置を提供することにより達成される。
【００２１】
又、上記目的は、本発明の第四の構成によれば、給水を加熱して給湯を行う給湯回路と、浴槽内の水を循環して加熱する循環回路と、該給湯回路と該循環回路とを接続する注湯回路とを有し、該給湯回路は給水を熱交換器から迂回させるバイパス管と、該バイパス管を開閉するバイパス弁とを備えている燃焼装置において、
前記浴槽の水量を検出する水量センサと、該水量センサからの出力に基づいて注湯を制御する注湯制御部とを有し、
該注湯制御部は、前記バイパス弁の洩れが検出されたとき、且つその洩れ量の変化が所定量以上であるとき、あらかじめ記憶されている前記浴槽の基準水位までの水量に基づいて注湯量を制御する第一のモードに代わって、前記水量センサの検出値に基づいて前記基準水位までの水量を求め、該求められた水量に基づいて注湯量を制御する第二のモードによる注湯制御を行うことを特徴とする燃焼装置を提供することにより達成される。
【００２２】
又、上記目的は、本発明の第五の構成によれば、給水を加熱して給湯を行う給湯回路と、浴槽内の水を循環して加熱する循環回路と、該給湯回路と該循環回路とを接続する注湯回路とを有し、該給湯回路は給水を熱交換器から迂回させるバイパス管と、該バイパス管を開閉するバイパス弁とを備えている燃焼装置において、
前記浴槽の水位を検出する圧力水量センサと、該圧力センサからの出力に基づいて注湯を制御する注湯制御部とを有し、
該注湯制御部は、前記バイパス弁の洩れが検出されたとき、且つその洩れ量の変化が所定量以上であるとき、あらかじめ記憶されている前記浴槽の開口面積に基づいて注湯量を制御する第一のモードに代わって、前記圧力センサの検出値に基づいて前記浴槽の換算開口面積を求め、該求められた換算開口面積に基づいて注湯量を制御する第二のモードによる注湯制御を行うことを特徴とする燃焼装置を提供することにより達成される。
【００２３】
又、上記目的は、本発明の第六の構成によれば、給水を加熱して給湯を行う給湯回路と、浴槽内の水を循環して加熱する循環回路と、該給湯回路と該循環回路とを接続する注湯回路とを有し、該給湯回路は給水を熱交換器から迂回させるバイパス管と、該バイパス管を開閉するバイパス弁とを備えている燃焼装置において、
前記浴槽の水量を検出する水量センサと、前記浴槽の水位を検出する圧力センサと、該水量センサ及び該圧力センサからの出力に基づいて注湯を制御する注湯制御部とを有し、
該注湯制御部は、前記バイパス弁の洩れが検出されたとき、且つその洩れ量の変化が所定量以上であるとき、あらかじめ記憶されている前記浴槽の基準水位までの水量及び前記浴槽の開口面積に基づいて注湯量を制御する第一のモードに代わって、前記水量センサの検出値に基づいて前記基準水位までの水量及び前記圧力センサの検出値に基づいて前記浴槽の換算開口面積を求め、該求められた水量及び換算開口面積に基づいて注湯量を制御する第二のモードによる注湯制御を行うことを特徴とする燃焼装置を提供することにより達成される。
【００２４】
さらに、前記第四乃至第六の構成において、前記洩れ量の変化量は、好ましくは、前記バイパス弁から洩れた水が前記熱交換器から出湯される湯に合流する前後の湯の温度差に基づいて求められる。
【００２５】
【発明の実施の形態】
以下、本発明の実施の形態について図面に従って説明する。しかしながら、本発明の技術的範囲がこの実施の形態に限定されるものではない。
【００２６】
図１は、本発明の実施の形態である燃焼装置の構成を示す図である。図１によれば、燃焼装置１は、給湯回路１０と、浴槽に接続される追い焚き循環回路２０と、それらを接続する注湯回路３０を有する。本発明における燃焼装置１の給湯回路１０は、バイパス管１３及びそれを開閉するバイパス弁１４を備えており、さらに、熱交換器１１、水量センサ１２、入水温度センサ１５、熱交換器温度センサ１６、出湯温度センサ１７、水流スイッチ１８、給湯口１９が設けられる。給湯口１９の栓が開かれると、水量センサ１２が検出して、ガス元電磁弁４を開き、比例弁３の開度が調整されてバーナー２の能力が制御される。その結果、出湯温度が設定温度になるように、フィードフォワード及びフィードバック制御が行われる。
【００２７】
循環回路２０内には、熱交換器２１、温度センサ２２、循環ポンプ２３と水流スイッチ２４が設けられる。５はバーナーであり、電磁弁６を介して、元ガス弁４のガス導入部に接続される。浴槽４０内の循環金具４１以上に水位があるか否かの検出は、循環ポンプ２３を駆動し、流水スイッチ２４が流水を感知するか否かにより行われる。また、追い焚き運転は、循環ポンプ２３を駆動しながら、バーナー２５を着火させて温度センサ２２が設定温度になるまで燃焼することにより行われる。
【００２８】
注湯回路３０には、それを開閉する注湯電磁弁３１及び浴槽４０の水位を検出する圧力センサ３２が備えられている。そして、上記したセンサ及び電磁弁などのアクチュエータ類は、マイクロコンピュータを搭載する制御部５０に図示しない配線により接続されている。さらに、リモコン５１から水位、温度及び運転モードなどが制御部５０に入力される。
【００２９】
また、バイパス弁１４の洩れの有無は、熱交換器温度センサ１６と出湯温度センサ１７の温度差から検出することが可能である。即ち、注湯中は、バイパス弁１４は閉じた状態で行われるので、バイパス弁１４に洩れがなければ、両温度はほぼ等しいが、洩れが生じていると、バイパス管１３からの水の混入により、出湯温度センサ１７の温度が熱交換器温度センサ１６の温度より低くなるからである。
【００３０】
図２は、上記のような燃焼装置の構成において、バイパス弁１４の洩れの有無に対応した浴槽４０の水位と水量センサ１２が検出する注湯量の関係を示す図である。洩れがない場合は、直線Ａに示すように、注湯量ＱB で基準水位Ｐａまで注湯され、その後、設定水位Ｐｓまで注湯される。一方、バイパス弁１４が洩れている場合、直線Ｂで示すように、水量センサ１２で検出されない洩れ量も注湯されるので、基準水位Ｐａになるように上述のフローチャートに従って、水量センサ１２の検出値に基づいて注湯量ＱB が注湯されると、基準水位Ｐａを超えて注湯される（点Ｎ）。
【００３１】
従って、従来は、基準水位Ｐａでの圧力センサ３２の検出値が変化したと判断され、圧力センサ３２の補正が行われる（図５ステップＳ２４参照）。即ち、点Ｎの水位における圧力センサ３２の検出値が、点Ｍ即ち基準水位Ｐａにおける検出値として補正されてしまう。
【００３２】
このように、バイパス弁１４からの水の洩れによって、圧力センサ３２の経年変化が生じていない場合であっても、圧力センサ３２の検出値が誤って補正されてしまう。そのため、バイパス弁１４から水が洩れているときは、補正後の圧力センサ３２の検出値を用いて設定水位Ｐｓまで注湯しようとすると、水位Ｐｂの位置からＰｓ−Ｐａの水位ΔＰ１分の流量が注湯され、設定水位Ｐｓを超えてしまい、水位不良又は湯が浴槽からあふれるなどの不具合が生じる。
【００３３】
そこで本発明の実施の形態においては、バイパス弁１４の漏れが検出されたときは、以下に説明する水量センサ補正モードによる注湯制御が行われる。即ち、水量センサ補正モードにおいては、バイパス弁１４に洩れがある場合、燃焼装置の設置後最初に行われる記憶モードによる自動湯張り運転で設定される基準水位Ｐａまでの水量及び浴槽４０の換算開口面積を設定し直すことにより、設定水位Ｐｓまでの正確な注湯を行う。
【００３４】
図３は、図５で説明した従来のフローチャートに上記水量センサ補正モードを付加した本発明の実施の形態のフローチャートである。また、図４は、このフローにおける浴槽４０の水位を示す図である。図４を参照しながら図３を説明する。自動スイッチがＯＮされて自動湯張り運転が開始されると（Ｓ１１）、追い焚き循環回路２０内の循環ポンプ２３を運転して（Ｓ１２）、風呂流水スイッチ２４がＯＦＦであるかどうかをチェックする（Ｓ１３）。ここで、ＯＮの場合は、従来同様に循環金具４１以上の残水が浴槽にあると判断して、追い焚き運転（Ｓ２５）に移行するが、ＯＦＦの場合は、バイパス弁１４の洩れの有無が検出される（Ｓ４１）。洩れの有無は、上述したように、出湯温度センサ１７と熱交換器温度センサ１６との温度差から検出する。
【００３５】
洩れがない場合は、ステップＳ１４以降の上述した実行モードによる注湯制御が行われる。一方、洩れが検出された場合は、さらに、その洩れ量が所定量以上であるか否かが検出される（Ｓ４２）。ステップＳ４２については後に詳述する。そして、洩れ量が所定量以上であると、ステップＳ４３乃至ステップＳ５２の水量センサ補正モードによる注湯制御が行われる。
【００３６】
まず、ステップＳ４３において、ａリットル（例えば４０リットル）が注湯される。そして、循環ポンプ２３をＯＮさせて（Ｓ４４）、流水スイッチ２４がＯＦＦかどうかのチェックを行う（Ｓ４５）。ＯＮの場合は、追い焚き運転（Ｓ２５）に移行し、ＯＦＦの場合は、ｂリットル（例えば１０リットル）が注湯される（Ｓ４６）。
【００３７】
そして、注湯電磁弁３１を閉じ、循環ポンプ２３をＯＮにして（Ｓ４７）、風呂流水スイッチ２４がＯＦＦかどうかのチェックを行う（Ｓ４８）。循環金具４１よりも上に水位が来ている場合は、流水スイッチ２４がＯＮするので、追い焚き運転（Ｓ２５）に移行し、ＯＦＦの場合は、さらにｂリットル注湯され、流水スイッチ２４がＯＮになるまで繰り返される。
【００３８】
循環ポンプ２３を回し、風呂流水スイッチ２４がＯＮしていることが確認されると、さらにｂリットル注湯され（Ｓ４９）、そのときの水位が基準水位Ｐａとして圧力センサ３２の出力が検出され（Ｓ５０）、その検出値と基準水位Ｐａまでの注湯量（図２におけるＱA ）が記憶される。
【００３９】
ところで、この注湯される流量は、水量センサ１２が検出する流量であり、バイパス弁１４からの洩れ量は含まれていない。従って、検出される流量と、実際に注湯されている流量は異なる。図２によれば、洩れがない場合の直線Ａに比べ、洩れがある場合の直線Ｂは、バイパス弁１４からの洩れ分も注湯されているため、検出流量に対する水位の変化率が大きい。従って、見かけ上、少ない流量で基準水位Ｐａに達する（点Ｌ）。しかしながら、流水スイッチ２４がＯＮになる水位に変化はなく、そのため、基準水位Ｐａの水位もほとんど変化しない。そこで、設置後最初の記憶モードによる自動湯張り運転において、洩れがない状態で求められ、記憶されている基準水位Ｐａまでの注湯量ＱB に代わって、基準水位Ｐａにおける水量センサ１２の検出流量を注湯量ＱA に記憶し直すことにより、洩れがある場合であっても、水量センサ１２の検出流量に基づいた基準水位Ｐａまでの注湯が可能となる。
【００４０】
図３に戻り、さらに、基準水位Ｐａまで注湯された後、その水位からさらにｃリットル（例えば３０リットル）が注湯が注湯される（Ｓ５１）。そして、その水位Ｐｂにおける圧力センサ３２の出力が検出される（Ｓ５２）。さらに、水位Ｐａから水位Ｐｂまでの注湯量ｃリットルと圧力センサ３２の検出値の変化Ｐｂ−Ｐａから換算される浴槽４０の開口面積Ｓ（以下換算開口面積という）が、
Ｓ＝ｃ／Ｐｂ−Ｐａ                      ・・・（１）
により求められる（Ｓ５３）。
【００４１】
換算開口面積Ｓは、設置後最初の記憶モードによる自動湯張り運転において求められており、その値は、基準水位Ｐａまでの注湯量ＱB 同様にあらかじめ制御部５０に記憶されている。従来は、水位Ｐｂから設定水位Ｐｓまでの注湯量は、記憶されている換算開口面積Ｓ及び設定水位Ｐｓまでの水位に基づいて行われている。しかしながら、洩れがある場合、記憶されている換算開口面積Ｓに基づいた注湯量ΔＱ１を注湯すると、図４に示すように、設定水位Ｐｓを超えてしまう。これは、実際の注湯量が、記憶されている洩れがない場合の換算開口面積Ｓに基づいて演算された注湯量より多いからである。
【００４２】
そこで、本発明の実施の形態においては、バイパス弁１４に洩れがある場合は、あらかじめ記憶されている換算開口面積Ｓに代わって、ステップＳ５３によって求められた換算開口面積Ｓ、即ち図４における直線Ｂの傾き（傾きは１／Ｓを表している）に基づいて設定水位Ｐｓまでの注湯量ΔＱ２を求める。
【００４３】
そして、この注湯量ΔＱ２に従って、さらに設定水位Ｐｓまで注湯される（ステップＳ２７乃至Ｓ２９）。これにより、水量センサ１２が検出する見かけの流量に基づいて設定水位Ｐｓまで注湯することが可能となる。
【００４４】
上記基準水位Ｐａまでの注湯量及び換算開口面積Ｓは、具体的には、制御部５０のマイクロコンピュータに接続される不揮発性メモリに書き換えされる。
【００４５】
ここで、ステップＳ４２について説明する。ステップＳ４１において、洩れが検出された場合であっても、すでに、その洩れ量において、上記水量センサ補正モードの運転が行われ、上記基準水位Ｐａまでの注湯量及び換算開口面積Ｓが書き換えられている場合は、再度、水量センサ補正モードを行う必要がない。そこで、ステップＳ４２において、洩れ量が変化しない場合は、ステップＳ１４以降の実行モードによる注湯制御が行われる。この洩れ量の変化は、上述のように、出湯温度センサ１７及び熱交換器温度センサ１６の温度差によって検出される。具体的には、例えば温度差が２度以上変化したときは、水量センサ補正モードによる注湯制御を行う。洩れ量の変化が所定量未満の場合に、ステップＳ１４以降の実行モードの注湯制御を行うのは、設定水位Ｐｓまでの注湯時間が水量センサ補正モードと比較して短縮される利点というがあるからである。
【００４６】
本発明における燃焼装置は、図１に示した構造に限られず、例えば、一缶二水路式燃焼装置のような燃焼装置であってもよい。
【００４７】
【発明の効果】
以上説明したとおり、本発明によれば、給湯回路のバイパス弁の漏れが検出されたときは、水量センサ補正モードによる自動湯張り運転が行われ、基準水位までの注湯量及び浴槽の換算開口面積が書き換えられ、書き換えられた値に基づいて設定水位までの注湯が行われる。従って、洩れ量が追加されて基準水位が変化し、それによって、圧力センサが不正確に補正され、設定水位を超えて注湯される水位不良や湯の浴槽からのあふれなどが防止される。
【００４８】
また、洩れ量が所定量変化した場合においても、基準水位までの注湯量及び浴槽の換算開口面積が書き換えられるので常に正確な注湯量制御を行うことが可能である。
【図面の簡単な説明】
【図１】本発明の実施の形態における燃焼装置の構成例である。
【図２】バイパス弁の洩れの有無に対応した浴槽の水位と水量センサが検出する注湯量の関係を示す図である。
【図３】本発明の実施の形態にかかるフローチャートである。
【図４】水量センサ補正モードにおける浴槽の水位を示す図である。
【図５】従来の自動湯張り運転におけるフローチャートである。
【図６】従来の自動湯張り運転時の浴槽の水位を示す図である。
【符号の説明】
１  燃焼装置
１０  給湯回路
１２  水量センサ
１３  バイパス管
１４  バイパス弁
２０  追い焚き循環回路
３０  注湯回路
３２  圧力センサ
４０  浴槽
５０  制御部
【図１】
0003754526.tif 000002
【図２】
0003754526.tif 000003
【図３】
0003754526.tif 000004
【図４】
0003754526.tif 000005
【図５】
0003754526.tif 000006
【図６】
0003754526.tif 000007